(57)【要約】【課題】簡単な作業で案内表示の変更はもちろん案内表示具自体の表示の変更も容易にできる案内表示具を供する。【解決手段】所定の形状に形成された背板１１と、該背板１１の外周辺の少なくとも相対向する２辺に設けられた係止手段１５，１５と、背板１１の前面に添接される案内表示シート２と、該案内表示シート２の前面に全面に亘り添接される透明板３と、背板１１に設けられた係止手段１５に係脱自在に係止されるとともに透明板３の外周辺を縁取る縁部材４，５とを備えた案内表示具。【選択図】  図４
2004317579.tif 000002
【特許請求の範囲】
【請求項１】
所定の形状に形成された背板と、
該背板の外周辺の少なくとも相対向する２辺に設けられた係止手段と、
前記背板の前面に添接される案内表示シートと、
該案内表示シートの前面に全面に亘り添接される透明板と、
前記背板に設けられた係止手段に係脱自在に係止されるとともに前記透明板の外周辺を縁取る縁部材とを備えたことを特徴とする案内表示具。
【請求項２】
前記背板は偶数多角形に形成され、
該偶数多角形の少なくとも上下辺に前記係止手段が設けられ、
前記下辺に設けられた係止手段に係止される縁部材が前記透明板を前記案内表示シートとともに前記背板に保持することを特徴とする請求項１記載の案内表示具。
【請求項３】
前記偶数多角形は矩形であることを特徴とする請求項２記載の案内表示具。
【請求項４】
前記矩形の背板の左右端面から裏面に沿って左右一対の縦縁部材が上下を前記背板より延長して固着され、
前記左右縦縁部材の上下延長部にそれぞれ前記係止手段が設けられ、
前記左右縦縁部材の上側延長部間および下側延長部間にそれぞれ上下一対の横縁部材が、前記係止手段により係脱自在に係止されて前記案内表示シートと透明板の上端縁と下端縁とを保持しながら架設されることを特徴とする請求項３記載の案内表示具。
【発明の詳細な説明】
【０００１】
【発明の属する技術分野】
本発明は、例えば図書館内の書籍配架案内，博物館等の館内案内表示として供せられる表示内容の変更が可能である偏平の案内表示具に関する。
【０００２】
【従来の技術】
この種の案内表示具としては、縁部材で４辺を構成した矩形収容枠に表示板と透明板とを嵌挿する例がある（例えば、特許文献１参照）。
【０００３】
【特許文献１】
特開２００２−１５６９０９号公報
【０００４】
特許文献１には、偏平な矩形箱状をした収容枠に表示基板を嵌挿し、その上に透明カバーをその左右端の凸部を左右縦縁部材の凹部に係合するようにして嵌め込む例と、収容枠の上側横縁部材または左右縦縁部材の少なくとも１箇所に設けた開口から表示基板と透明シートを挿し込む例が開示されている。
【０００５】
上記いずれの例も、表示基板を交換することが容易で、異なる表示内容の表示基板に交換することで、案内表示内容を簡単に変えることができる。
【０００６】
【発明が解決しようとする課題】
しかし前者の嵌め込む例では、透明カバーが小さいと、小さい透明カバーを歪めて外すのは難しく、また逆に透明カバーが大きいと温度変化などでサイズが変化して嵌め込みがきつくなったりして表示基板の交換作業が困難となったりすることがある。
【０００７】
また、後者の挿し込む例では、表示基板と透明カバーを出し入れするスペースを収容枠の上方または左右に確保しておかなければならず、スペースがない場合には表示内容を変更するときに収容枠全体を外す必要がある。
【０００８】
一方で、案内表示具自体に案内表示とは別の情報を持たせることがある。
例えば、案内表示がグループ分けできるような場合に案内表示具自体を色分けするとか、案内表示に順番がある場合に案内表示具自体に番号を付するとかいうように、案内表示の内容とは別の情報を案内表示具に表示させる場合である。
【０００９】
案内表示具がこのような使われ方をする場合、案内表示具自体の表示を変更するとなると、前記特許文献１の例では収容枠全体を取り替えなければならず、一旦壁面などにねじ等で固着したものを取り外して別の収容枠を再度ねじ止めして取り付けなければならず作業が極めて面倒である。
【００１０】
本発明は、かかる点に鑑みなされたもので、その目的とする処は、簡単な作業で案内表示の変更はもちろん案内表示具自体の表示の変更も容易にできる案内表示具を供する点にある。
【００１１】
【課題を解決するための手段及び作用効果】
上記目的を達成するために、本請求項１記載の発明は、所定の形状に形成された背板と、該背板の外周辺の少なくとも相対向する２辺に設けられた係止手段と、前記背板の前面に添接される案内表示シートと、該案内表示シートの前面に全面に亘り添接される透明板と、前記背板に設けられた係止手段に係脱自在に係止されるとともに前記透明板の外周辺を縁取る縁部材とを備えた案内表示具とした。
【００１２】
背板に案内表示シートと透明板を順次重ね、縁部材を相対向する２辺に設けられた係止手段に係止すれば透明板の外周辺を縁取り、簡単に案内表示具が組み立てられる。
【００１３】
透明板の大小に関係なく、係脱自在の縁部材を外せば案内表示シートを簡単に交換でき、案内表示シートの交換は背板の前方で行われるので背板の周囲に案内表示シートの交換作業用のスペースを必要としない。
【００１４】
また、係止手段を備えた背板に対して縁部材は、係脱自在であるので、この縁部材を交換すれば案内表示具自在の表示を変更することができる。
すなわち、背板が壁面等に取り付けられている場合でも、背板を取り外すことなく係脱自在の縁部材だけを係脱して交換する簡単な作業で案内表示具自体の表示を容易に変更することができる。
【００１５】
請求項２記載の発明は、請求項１記載の案内表示具において、前記背板は偶数多角形に形成され、該偶数多角形の少なくとも上下辺に前記係止手段が設けられ、前記下辺に設けられた係止手段に係止される縁部材が前記透明板を前記案内表示シートとともに前記背板に保持することを特徴とする。
【００１６】
偶数多角形をした背板の上下辺に係止される縁部材のうち下辺に設けられる縁部材により透明板を案内表示シートとともに背板に保持することができ、少ない部品点数で簡単に案内表示具を組み立てることできる。
案内表示シートの交換に際しては、上辺の縁部材のみを外せば案内表示シートを交換することができ作業が益々簡単となる。
【００１７】
請求項３記載の発明は、請求項２記載の案内表示具において、前記偶数多角形は矩形であることを特徴とする。
【００１８】
背板が矩形すなわち長方形をしている一般的な案内表示具であり、該背板に添接される案内表示シートも長方形として、標準的用紙を使用して印刷も簡単にできる。
【００１９】
請求項４記載の発明は、請求項３記載の案内表示具において、前記矩形の背板の左右端面から裏面に沿って左右一対の縦縁部材が上下を前記背板より延長して固着され、前記左右縦縁部材の上下延長部にそれぞれ前記係止手段が設けられ、前記左右縦縁部材の上側延長部間および下側延長部間にそれぞれ上下一対の横縁部材が、前記係止手段により係脱自在に係止されて前記案内表示シートと透明板の上端縁と下端縁とを保持しながら架設されることを特徴とする。
【００２０】
左右に縦縁部材を備えた矩形の背板に対して、案内表示シートと透明板を順次重ねてその上下に横縁部材を係止手段に係止させて架設すれば透明板とともに案内表示シートが保持されて簡単に案内表示具が組み立てられる。
【００２１】
背板が壁面等に取り付けられている場合でも、背板を外すことなく着脱自在の横縁部材だけを交換する簡単な作業で案内表示具自体の表示を容易に変更することができる。
【００２２】
【発明の実施の形態】
以下本発明に係る一実施の形態について図１ないし図１６に基づき説明する。
本実施の形態に係る案内表示具１の全体外観図を図１に示し、その分解斜視図を図２に示す。
【００２３】
偏平矩形の基板１０における横長長方形状の背板１１に案内表示シート２と透明板３を重ね、その上下に左右方向に長尺の横縁部材４，５が組み合わされて案内表示具１が構成される。
【００２４】
上下の横縁部材４，５と基板１０を構成している左右の縦縁部材１２，１３により矩形の枠体が形成され、その枠体内に透明板３を透かして案内表示シート２の案内表示を見ることができる。
【００２５】
案内表示シート２は、標準のＯＡ印刷用紙であり、表面に案内表示が印刷されたもので、パーソナルコンピュータによりデザインしてプリンタにより簡単に印刷することができる。
【００２６】
なお、案内表示シート２はＯＡ印刷用紙に限らず、どのような種類のシートでもよく、サイズも背板１１と同じか小さければよく、形も矩形に限定されない不定形でもよく、新聞の切り抜き，写真，手書き掲示物等でもよい。
【００２７】
透明板３は、矩形の透明アクリル板であり、表面に微細な凹凸を付けるマット処理が施されて、外方からの光を乱反射させて案内表示シート２の表示の視認性を良くしている。
なお、透明板３の前面の上下辺に切欠き３ａ，３ｂが形成されている（図４参照）。
【００２８】
基板１０は、図７に分解斜視図で示すように長方形の背板１１の左右端面から裏面に沿って左右一対の縦縁部材１２，１３を固着し、背板１１の縦幅より長い左右の縦縁部材１２，１３の上下端部にそれぞれ係止部材１５が取り付けられる。
背板１１は、前記透明板３と同じ矩形サイズを有している。
左右の縦縁部材１２，１３は補強のため矩形板状の連結板１４により連結される。
【００２９】
左右の縦縁部材１２，１３は、アルミ引き抜き材または樹脂成型品で同じ形状をしており、上下を互いに入れ替えて左右対称にして使用している。
縦縁部材１２についてその形状を図８および図９に基づいて説明する。
【００３０】
縦縁部材１２は、背板１１の左端面に沿う上面視前後に長い長方形状（図９参照）をして上下に長尺の縦縁部１２ａとその内面の後縁近傍から内側へ直角に延出した背板１１の裏面に沿う支持部１２ｂとからなる。
縦縁部１２ａは、支持部１２ｂより若干上下にはみ出して僅かに長尺である。
【００３１】
支持部１２ｂは、上下方向に指向した底の浅い前方に向いた開口を狭めた偏平蟻溝形状の溝条部１２ｂ１が縦縁部１２ａ寄りに形成され、溝条部１２ｂ１からさらに内側に取付片１２ｂ２が延出している。
【００３２】
取付片１２ｂ２には、上下にねじ挿入孔１２ｂ３，１２ｂ３が穿孔されている。
もう一方の縦縁部材１３も同じ形状をしている。
【００３３】
また連結板１４は、アルミ合金製の矩形板であり、４隅にはねじ挿入孔１４ａ，１４ａが穿孔されている。
【００３４】
この連結板１４の前面の左右端部に、左右の縦縁部材１２，１３の内側の取付片１２ａ２，１３ａ２が接着剤によりそれぞれ接着され、左右の縦縁部材１２，１３が連結板１４により連結される。
【００３５】
なお左右縦縁部材１２，１３の取付片１２ａ２，１３ａ２のねじ挿入孔１２ｂ３，１２ｂ３は、連結板１４の４隅のねじ挿入孔１４ａ，１４ａに一致する。
【００３６】
そして左右縦縁部材１２，１３の支持部１２ｂ，１３ｂの前面に背板１１の裏面左右両側部が接着剤により接着される。
背板１１は、白色のアクリル板であり、横幅は左右の縦縁部材１２，１３の前方へ突出した縦縁部１２ａ，１３ａ間の幅長に等しく、縦幅は縦縁部材１２，１３の上下長さより短く縦縁部材１２，１３に接着したとき縦縁部材１２，１３は背板１１より上下に延出している。
【００３７】
この上下に延出する縦縁部材１２，１３の溝条部１２ｂ１，１３ｂ１に、それぞれ係止部材１５が挿し込まれ、接着剤で固着される。
係止部材１５は、弾性を有する樹脂製であり、図１０ないし図１２に図示するように、矩形板部１５ａの表面から板状の係止片１５ｂが４片互いに平行に突出形成されている。
【００３８】
係止部材１５は、係止片１５ｂが左右水平方向に指向する姿勢で縦縁部材１２，１３の溝条部１２ｂ１，１３ｂ１に取付けられる。
係止片１５ｂは矩形板部１５ａより幅狭で、各係止片１５ｂには先端に爪１５ｃが形成されていて、今回有効に作用する最上位置の係止片１５ｂの爪１５ｃは上方へ突出し、最下位置の係止片１５ｂの爪１５は下方へ突出している。
【００３９】
係止部材１５の矩形板部１５ａは、横幅が縦縁部材１２，１３の溝条部１２ｂ１，１３ｂ１の溝の最大幅に等しく、厚さが溝条部１２ｂ１，１３ｂ１の溝の左右の前後空隙幅に等しい。
したがって４個の係止部材１５が、その矩形板部１５ａを縦縁部材１２，１３の溝条部１２ｂ１，１３ｂ１に上下の開口から挿し込んで、接着剤で固着される。
【００４０】
このようにして図５および図６に図示するような基板１０が構成される（図１３，図１４参照）。
図５に示すように正面視で基板１０は、横長長方形の背板１１の左右両側縁に縦縁部材１２，１３の縦縁部１２ａ，１３ａが沿っており、背板１１より上下にはみ出した左右の縦縁部材１２，１３の４隅の支持部１２ｂ，１３ｂにそれぞれ係止部材１５が係止片１５ｂを前方へ突出させて設けられている。
【００４１】
この基板１０は、４隅の係止部材１５の内側隣りに形成された取付片１２ｂ２，１３ｂ２のねじ挿入孔１２ｂ，１３ｂおよび連結板１４のねじ挿入孔１４ａに、ねじ１６を挿入して（図１４参照）、壁面等に取り付けることができる。
【００４２】
こうして壁面等に取り付けられた基板１０に対して、図２に示すように案内表示シート２を背板１１に添接し、さらに案内表示シート２の上に透明板３を添接し、その上下に左右方向に長尺の横縁部材４，５が係止される。
【００４３】
上下の横縁部材４，５は、アルミ引き抜き材または樹脂成型品で同じ形状をしており、左右を互いに入れ替えて上下対称にして使用している。
横縁部材４についてその形状を図１５および図１６に基づいて説明する。
【００４４】
横縁部材４は、図１６に示すように側面視でＬ字に屈曲する鉛直壁４ａと水平壁４ｂにより概ね構成され、鉛直壁４ａの裏面に端縁近傍より被係止片４ｃが水平壁４ｂに平行に突出しており、被係止片４ｃの先端は水平壁４ｂに向かって直角に屈曲している。
【００４５】
また水平壁４ｂの裏面に端縁近傍より被係止片４ｄが鉛直壁４ａに平行に突出しており、同被係止片４ｄと前記被係止片４ｃの屈曲した先端は同一平面上にある。
【００４６】
すなわち被係止片４ｄと被係止片４ｃの屈曲した先端は、鉛直壁４ａより後方へ同じ所定深さ位置にあり、被係止片４ｄと被係止片４ｃの屈曲した先端の間は所定幅長を有する。
【００４７】
このような横縁部材４，５を、図４に示す位置関係で基板１０の上下の係止部材１５に係止される。
上側の横縁部材４は、鉛直壁４ａを前側に水平壁４ｂを上側にした姿勢で、背板１１より上方にはみ出した左右の縦縁部材１２，１３の支持部１２ｂ，１３ｂに設けられた係止部材１５，１５に対して、前方から押圧することにより、横縁部材４の被係止片４ｃ，４ｄが係止部材１５，１５の係止片１５ｂ，１５ｂの弾性変形により先端の爪１５ｃ，１５ｃを乗り越えて係止され（図３参照）、横縁部材４は左右の係止部材１５，１５に架設される。
【００４８】
図３に示すように横縁部材４は、その鉛直壁４ａの被係止片４ｃより下方へ若干突出した部分が、透明板３の前面上辺の切欠き３ａに嵌り、被係止片４ｃが背板１１，案内表示シート２，透明板３の上端面に沿い、水平壁４ｂの被係止片４ｄより後方へ若干突出した部分が、縦縁部材１２，１３の支持部１２ｂ，１３ｂおよび連結板１４の上端面の上を覆う。
【００４９】
同様に下側の横縁部材５は、鉛直壁４ａを前側に水平壁４ｂを下側にした姿勢で、左右の下側係止部材１５，１５に架設され、その鉛直壁５ａの被係止片５ｃより下方へ若干突出した部分が、透明板３の前面下辺の切欠き３ｂに嵌り、被係止片５ｃが背板１１，案内表示シート２，透明板３の下端面に沿い背板１１，案内表示シート２を支持し、水平壁５ｂの被係止片５ｄより後方へ若干突出した部分が、縦縁部材１２，１３の支持部１２ｂ，１３ｂおよび連結板１４の下端面の下を覆う。
【００５０】
以上のように基板１０の背板１１に案内表示シート２を挟んで透明板３を添接し、その上下に横縁部材４，５を係止させる簡単な作業により案内表示具１は、組み立てられる。
【００５１】
案内表示面の左右辺は、縦縁部材１２，１３の縦縁部１２ａ，１３ａに縁取られ、上下辺は、横縁部材４，５により縁取られて矩形枠に囲まれた薄型の好ましい外観を構成している。
【００５２】
横縁部材４，５は、その被係止片４ｃ，４ｄ，５ｃ，５ｄが係止部材１５の係止片１５ｂに係脱自在に係止されており、横縁部材４，５の水平壁４ｂ，５ｂの後端縁に指または工具を引っ掛けて手前に引けば、係止状態が解除されて横縁部材４，５を簡単に取り外すことができる。
【００５３】
なお、案内表示の内容を変更する場合は、上側の横縁部材４のみを取り外せば透明板３および案内表示シート２を前方へ取り出すことができ、所要の案内表示が印刷された新しい案内表示シート２を背板１１に当てがい、透明板３の下端縁を下側の横縁部材５に掛け止めて透明板３を案内表示シート２に押し当て上側の横縁部材５を係止して透明板３の上端縁を押え、新しい案内表示シート２を透明板３とともに保持することができる。
【００５４】
このように案内表示シート２の交換は極めて簡単な作業で行うことができ、その作業も、案内表示具１の前方空間を利用してでき、案内表示具１の上方または左右に案内表示シート２の交換のためのスペースを必要としない。
【００５５】
また矩形枠体を構成する上下の横縁部材４，５を交換することも簡単にできる。
基板１０が壁面等に取り付けられている場合でも、基板１０を壁面等から取り外すことなく、横縁部材４，５のみを交換することができ、作業は極めて簡単である。
【００５６】
したがって案内表示がグループ分けできるような場合に横縁部材４，５を色分けしたり、案内表示に順番がある場合に横縁部材４，５に番号を付したり、あるいは文字や記号等を付したりできるので、これらの表示の変更を横縁部材４，５を交換する簡単な作業で行うことができる。
【００５７】
本案内表示具１の場合、背板１１と連結板１４および透明板３を所定の大きさに裁断し、対応して縦縁部材１２，１３と横縁部材４，５を適切な長さに切断して組み立てれば、種々のサイズの案内表示具が簡単に製作でき、低コストでかつ短納期の納品が可能である。
【００５８】
本実施の形態に係る案内表示具１は、背板１１とともに矩形状をしていたが、矩形に限らず種々の形状のものに適用可能である。
【００５９】
例えば図１７に図示する案内表示具３０は、８角形をして対向する上下辺が長尺で横縁部材３１，３２で構成されるもので、背板，案内表示シート，透明板は同じ８角形をしている。
なお８角形に限らず偶数多角形に同じように適用できる。
【００６０】
また図１８に図示する案内表示具５０は、左右辺が円弧をなし対向する上下辺が直線状の横縁部材５１，５２で構成される。
【００６１】
図１７および図１８の実施の形態における横縁部材３１，３２，５１，５２は、いずれも係脱自在に係止され透明板を案内表示シートとともに背板に保持する構造である。
【図面の簡単な説明】
【図１】本発明の一実施の形態に係る案内表示具の全体外観図である。
【図２】同分解斜視図である。
【図３】組立状態の同案内表示具の縦断面図である。
【図４】同分解縦断面図である。
【図５】基板の正面図である。
【図６】同上面図である。
【図７】基板の分解斜視図である。
【図８】縦縁部材の正面図である。
【図９】同上面図（図８のＩＸ矢視図）である。
【図１０】係止部材の正面図である。
【図１１】同上面図である。
【図１２】同側面図である。
【図１３】基板の角部拡大正面図である。
【図１４】同上面図である。
【図１５】横縁部材の裏面図である。
【図１６】同側面図（図１５のＸＶＩ矢視図）である。
【図１７】別の実施の形態に係る案内表示具の正面図である。
【図１８】また別の実施の形態に係る案内表示具の正面図である。
【符号の説明】
１…案内表示具、２…案内表示シート、３…透明板、４，５…横縁部材、
１０…基板、１１…背板、１２，１３…縦縁部材、１４…連結板、１５…係止部材、１６…ねじ、
３０…案内表示具、３１，３２…横縁部材、
５０…案内表示具、５１，５２…横縁部材。
【図１】
2004317579.tif 000003
【図２】
2004317579.tif 000004
【図３】
2004317579.tif 000005
【図４】
2004317579.tif 000006
【図５】
2004317579.tif 000007
【図６】
2004317579.tif 000008
【図７】
2004317579.tif 000009
【図８】
2004317579.tif 000010
【図９】
2004317579.tif 000011
【図１０】
2004317579.tif 000012
【図１１】
2004317579.tif 000013
【図１２】
2004317579.tif 000014
【図１３】
2004317579.tif 000015
【図１４】
2004317579.tif 000016
【図１５】
2004317579.tif 000017
【図１６】
2004317579.tif 000018
【図１７】
2004317579.tif 000019
【図１８】
2004317579.tif 000020